(57)【要約】【課題】内部の壁体が確実に固定支持され且つ簡易に形成することのできる堤防を提供する。【解決手段】堤防１は、堤防１のほぼ上部から下方に向かって堤防１の法尻１ｂより下方に到達するように延出し、例えば堤防１のほぼ上部からＬ１の高さをもって延出する壁体３を内部に立設した状態で埋設している。堤防１の壁体３は、図示のように河川Ｗの河床Ｗ１より下方まで到達するように延出するのが好ましく、例えば河川Ｗの河床Ｗ１からＬ２の長さだけ下方に向かって延出している。これにより、壁体３の一部は地中に埋設された状態となるので、堤防１内の壁体３を堤防敷の地中によって固定支持することができる。【選択図】図３
2006161358.tif 000002
【特許請求の範囲】
【請求項１】
上流から下流に向かって流れる河川に沿って左右両岸に土砂を盛って形成された堤防において、
前記堤防の内部に壁体を立設させた状態で埋設し、該壁体は、前記堤防のほぼ上部から該堤防の法尻より下方に到達するように延出させたことを特徴とする堤防。
【請求項２】
前記壁体を基端部として、先端部が前記河川から離間する方向に突出する突起部が該壁体の延在方向に所定の間隔をおいて設けられたことを特徴とする請求項１に記載の堤防。
【請求項３】
前記壁体中に補強材が埋設されたことを特徴とする請求項１または２に記載の堤防。
【請求項４】
前記壁体は、前記河川から離間する方向に所定間隔をおいて複数設けられたことを特徴とする請求項１〜３のいずれか１項に記載の堤防。
【発明の詳細な説明】
【技術分野】
【０００１】
本発明は、上流から下流に向かって流れる河川に沿って左右両岸に土も盛って形成された堤防に関する。
【背景技術】
【０００２】
河川に沿って設けられた堤防としては、河川に対向する堤防の法面に沿ってコンクリートブロック等を積み上げるか、または堤防の法面のほぼ全面に亘ってコンクリートを敷設することによって補強の図られたものが知られている。
【０００３】
このような堤防では、河川を一旦仮締切りしてから補強を図り、堤防の補強後に仮締切りを解除するので、例えば河川の増水時期には施工が困難である等の課題を有していた。また、堤防の法面に沿ってコンクリートブロック等を積み上げるか、または法面のほぼ全面に亘ってコンクリートを敷設することから、自然環境の破壊や、景観を損ねる等の課題を有していた。
【０００４】
そのため、河川に沿って設けられた堤防中にその堤防の延在方向にコンクリート製の壁体を埋設する、いわゆる地中控え式護岸工法によって補強の図られた堤防が知られている。
【０００５】
この種の堤防１０１としては、例えば図８に示すように、上流から下流に向かって流れる河川Ｒに対向して設けられた堤防１０１の中央に溝１０２を設け、その溝１０２に板状のコンクリート製の壁体１０３を埋設したものが知られている（例えば、特許文献１参照）。
【０００６】
【特許文献１】特開平０７−３２４３１６号公報
【発明の開示】
【発明が解決しようとする課題】
【０００７】
特許文献１により開示された堤防１０１は、堤防１０１内に壁体１０３を形成するので、自然環境の破壊や景観を損なわない点で有効である。また、河川Ｒを仮締切りする必要がないことから、施工時期に制限を受けないという点でも有効である。
【０００８】
しかしながら、特許文献１により開示された堤防１０１内の壁体１０３は、堤防１０１のほぼ上部から下方に向かって延出しているものの、壁体１０３の下部は、堤防１０１の法尻１０１ｂまで到達するように構成されている。これにより、堤防１０１中で壁体１０３の固定支持が確実に行われないことから、堤防１０１の表法面１０１ａが浸食を受けたときに土砂だけでなく壁体１０３についても流出するおそれがある。
【０００９】
本発明は、これら種々の問題を鑑み、従来技術の課題を解決すべくなされたものであり、その目的は、内部の壁体を確実に固定支持することのできる堤防を提供することにある。
【課題を解決するための手段】
【００１０】
上記課題を解決する請求項１に記載した堤防の発明は、
上流から下流に向かって流れる河川に沿って左右両岸に土砂を盛って形成された堤防において、堤防の内部に壁体を立設させた状態で埋設し、該壁体は、堤防のほぼ上部から該堤防の法尻より下方に到達するように延出させたことを特徴とする。
【００１１】
請求項１に記載の発明によれば、堤防の壁体は法尻より下方に到達するように延在し、堤防の壁体の一部を地中に埋設させる構成としたので、堤防内部の壁体を堤防敷きの地中によって固定支持することができる。これにより、堤防の法面が浸食を受けて土砂が流出して、内部の壁体が露出したときに、壁体によって河川の浸食を止め、土砂のなおいっそうの流出を防ぐことができる。したがって、堤防が決壊することなく護岸機能を発揮すると共に、河川の浸食により土砂が流出した部分に再び土砂を盛るだけでよいので、その後の堤防の復旧を迅速且つ簡易に行うことができる。
【００１２】
また、堤防は、壁体を堤防敷きの地中に埋設させて堤防内で立設するように設けるだけであるので、大掛かりな工法によらずに壁体が構築されて堤防の壁体を簡易に形成することができる。これにより、施工コストの上昇と工期の長期化を抑制することができる。
【００１３】
さらに、堤防は、壁体を堤防の内部に形成して、外部に露出しない構成としたので、自然環境を破壊せず、景観を損なわないようにすることができる。
【００１４】
請求項２に記載の発明は、請求項１に記載した堤防において、
壁体を基端部として、先端部が河川から離間する方向に突出する突起部が該壁体の延在方向に所定の間隔をおいて設けられたことを特徴とする。
【００１５】
請求項２に記載の発明は、堤防の構成を限定したものであり、これによれば、堤防内の壁体は突起部によって支持されるので、堤防敷きの地中によって固定支持する構成と相俟って壁体の固定支持をさらに強固なものとすることができる。したがって、堤防のよりいっそうの護岸機能を確保することができる。
【００１６】
そして本発明において重要なのは、突起部の先端部を河川から離反する方向に突出するように設けたことである。これにより、堤防の法面が浸食を受けて壁体が露出しときに河川に対抗できるように壁体を固定支持し、壁体の流出を防ぐことができる。
【００１７】
なお、本発明のように、突起部は壁体の延在方向に所定の間隔をおいて設けられるのが好ましい。
【００１８】
請求項３に記載の発明は、請求項１または２に記載した堤防において、壁体中に補強材が埋設されたことを特徴とする。
【００１９】
請求項３に記載の発明は、堤防の構成をさらに限定したものであり、これによれば、補強材によって壁体自体の強度の向上が図れ、壁体の流出を確実に防止することができる。したがって、請求項１または２に記載の発明による作用を確実に奏することができる。
【００２０】
請求項４に記載の発明は、請求項１〜３に記載した堤防において、
壁体は、河川から離間する方向に所定間隔をおいて複数設けられたことを特徴とする。
【００２１】
請求項４に記載の発明によれば、河川による堤防の浸食領域を少なくし、浸食による土砂の流出量の削減を図ることができる。よって、浸食を受けた堤防を極めて迅速に復旧することができるだけでなく、堤防の決壊リスクを極めて低いものとすることができる。したがって、本発明の堤防を例えば流量の比較的多い大規模な河川に対して用いたとしても、充分な護岸機能を発揮することができる。
【発明の効果】
【００２２】
本発明にかかる堤防によれば、堤防内に形成された壁体は堤防の法尻より下方へ到達するように延出し、堤防の壁体の一部は堤防敷きの地中に埋設されているので、壁体の固定支持を確実なものとし、堤防の護岸機能を十分に発揮することができる。また、堤防内に壁体を立設した状態で埋設するだけであるので、堤防の壁体を簡易に形成することができる。さらに、堤防の壁体は、堤防内に設けられ、外部に露出していないので、自然環境を破壊せず、景観を損なわないようにすることができる。
【発明を実施するための最良の形態】
【００２３】
以下、本発明の好適な実施の形態について図面を参照しつつ説明する。
【００２４】
（第１実施の形態）
図１は、本実施の形態における堤防１の平面図、図２は、図１におけるＡ−Ａ線断面図、図３は、図２における堤防１の拡大図、図４は、図３においてＢ方向より矢視した堤防１の底面図である。
【００２５】
堤防１は、上流から下流方向に向かって流れる河川Ｗに対向してその左右岸の堤防敷に土砂を盛ることによって構築されている。堤防１は、所定の水位、例えば計画高水位の流水を安全に流下させることができるような高さをもって構成されている。そして、左右の堤防１には、各々の堤防１の内部にコンクリート製の壁体３が立設した状態で埋設されている。
【００２６】
堤防１の壁体３は、図３に示すように、堤防１のほぼ上部から下方に向かって堤防１の法尻１ｂより下方に到達するように延出し、例えば堤防１のほぼ上部からＬ１の高さをもって延出している。堤防１の壁体３は、図示のように河川Ｗの河床Ｗ１より下方まで到達するように延出するのが好ましく、例えば河川Ｗの河床Ｗ１からＬ２の長さだけ下方に向かって延出している。これにより、壁体３の一部は地中に埋設された状態となるので、堤防１内の壁体３を堤防敷の地中によって固定支持することができる。
【００２７】
そして、堤防１の壁体３は、堤防１が河川Ｗの浸食を受けて壁体３が露出したときに河川Ｗの浸食に対して所定の耐性を示すように、堤防１の延在方向に直交する方向に所定の幅を有しており、例えば、本実施の形態ではＬ３の幅を有している。
【００２８】
また、堤防１の壁体３には、壁体３のほぼ下端部を基端部として先端部が河川Ｗから離間する方向に突出する突起部５が設けられている。突起部５は、堤防１の壁体３を地中に対して固定支持するものであり、壁体３の一部を堤防敷の地中に埋設させる構成と相俟って壁体３の固定支持をより強固なものとすることができる。突起部５の先端部側を河川Ｗから離間する方向に突出する構成としたことにより、例えば、堤防１の表法面１ａが河川Ｗの浸食を受けて堤防１の壁体３が露出したときに河川Ｗの浸食に抗して壁体３の立設した姿勢状態を保つことができる。したがって、従来のように河川の浸食によって堤防の壁体が流出するのを防ぐことができ、堤防の護岸機能を確保することができる。そして、突起部５は、河川Ｗに沿った堤防１の壁体３の延在方向に所定の間隔をおいて設けられのが好ましい。
【００２９】
そしてまた、壁体３の内部には図５および図６に示すように補強材７が埋設されている。図５は、図３における堤防１の斜視図、図６は、図３においてＣ方向より矢視した堤防１の縦断面図である。
【００３０】
補強材７は、堤防１の壁体３の高さに対応した長さの鉄製の棒体によって構成され、図示のように壁体３の延在方向に所定の間隔を持って壁体３の高さ方向に埋設されている。堤防１の壁体３内に補強材７を埋設したことにより、壁体３自体の強度の向上が図れ、河川Ｗの浸食による壁体３の崩壊、流出等を防いで、堤防１の決壊を防止することができる。そして、補強材７は、壁体３の高さ方向に埋設する構成に限定されるものではなく、壁体３の延在方向に補強材７を埋設することも可能であり、または壁体３の高さ方向および延在方向の両方に補強材７を埋設することも可能である。
【００３１】
上記構成を有する堤防によれば、堤防１は、壁体３の一部を堤防敷の地中に埋設するようにしたので、堤防１の壁体３を確実に固定支持することができ、堤防１が河川Ｗの浸食を受けたときに壁体３によって河川Ｗを有効に止水することができる。したがって、堤防１の土砂の流出を防ぐことができ、その後の堤防１の復旧を迅速に行うことができる。
【００３２】
また、堤防１は、壁体３を堤防内に立設した状態で埋設する構成としたので、壁体３を簡易に形成することができる。これにより、従来のような大掛かりな工法を必要としないので、施工コストの上昇と施工工期の長期化を有効に防ぐことができる。
【００３３】
そしてまた、堤防１は、内部に壁体３を設け、平時には外部に露出しないような構成としたので、自然環境を破壊せず、自然の景観を損なわないようにすることができる。
【００３４】
（第２実施の形態）
第２実施の形態について図７を参照しつつ説明する。なお、図７において、第１実施の形態と同様の構成要素には図３〜図６と同様の符号を付することでその詳細な説明を省略し、異なる部分を主に説明する。
【００３５】
本実施の形態の堤防１１は、河川から離間する方向に所定の間隔をおいて複数の壁体１３を堤防１１内に立設した状態で埋設している。各々の壁体１３の間隔は、堤防１１の天端の幅、堤防敷の幅、堤防に要求される河川の浸食に対する耐性等を総合的に勘案して設定することができる。また、堤防１１の必要な護岸機能を確保することができれば、表法面１１ａ側の壁体１３は堤防１１の延在方向に沿って連続する壁体として構成され、残りの壁体１３については、連続する壁体とすることなく一部に隙間を設けた壁体として構成されることも可能である。
【００３６】
第２実施の形態の堤防１１では、河川による堤防の浸食領域を少なくすることができ、浸食による土砂の流出量の削減を図ることができる。よって、浸食を受けた堤防１１を極めて迅速に復旧することができるだけでなく、堤防１１の決壊リスクを極めて低いものとすることができる。したがって、本実施の形態の堤防１１を、例えば流量の比較的多い大規模な河川に対して用いたとしても、充分な護岸機能を発揮することができる。
【００３７】
なお、本発明は、上述の実施の形態に限定されるものではなく、本発明の趣旨を逸脱しない範囲で種々の変更が可能である。例えば、堤防内の壁体は、壁体に要求される強度等に基づいて、壁体の幅および高さを適宜変更することができる。
【図面の簡単な説明】
【００３８】
【図１】第１実施の形態における堤防の平面図である。
【図２】図１におけるＡ−Ａ線断面図である。
【図３】図２における堤防の一部拡大図である。
【図４】図３における堤防の底面である。
【図５】図３における堤防の斜視図である。
【図６】同じく縦断面図である。
【図７】第２実施の形態を説明する図である。
【図８】従来技術を説明する図である。
【符号の説明】
【００３９】
１    堤防
１ａ  表法面
１ｂ  法尻
３    壁体
５    突起部
７    補強材
Ｗ    河川
【図１】
2006161358.tif 000003
【図２】
2006161358.tif 000004
【図３】
2006161358.tif 000005
【図４】
2006161358.tif 000006
【図５】
2006161358.tif 000007
【図６】
2006161358.tif 000008
【図７】
2006161358.tif 000009
【図８】
2006161358.tif 000010